(57)【要約】【課題】優れた無線リソースの利用効率が得られるように、上りリンク同期要求を下りリンク共用制御シグナリングチャネルへ配置すること【解決手段】移動局装置の上りリンク再同期要因を検出する再同期要因検出部と、再同期要因検出部が上りリンク再同期要因を検出した移動局装置に対する上りリンク同期要求を表す情報を生成するスケジューリング部と、スケジューリング部が生成した上りリンク同期要求を表す情報を、該情報固有の方法で信号化して、移動局装置との同期通信に用いるパラメータを配置する無線フレーム上の領域に配置し、送信する送信部とを具備することを特徴とする基地局装置。【選択図】図４
2008311857.tif 000002
【特許請求の範囲】
【請求項１】
移動局装置の上りリンク再同期要因を検出する再同期要因検出部と、
前記再同期要因検出部が上りリンク再同期要因を検出した前記移動局装置に対する上りリンク同期要求を表す情報を生成するスケジューリング部と、
前記スケジューリング部が生成した上りリンク同期要求を表す情報を、該情報固有の方法で信号化して、移動局装置との同期通信に用いるパラメータを配置する無線フレーム上の領域に配置し、送信する送信部と
を具備することを特徴とする基地局装置。
【請求項２】
前記上りリンク同期要求を表す情報は、該同期要求を受けた前記移動局装置が送信する同期ずれ測定用信号に含める測定用信号識別情報に関する指示情報を含むことを特徴とする請求項１に記載の基地局装置。
【請求項３】
前記測定用信号識別情報に関する指示情報は、該測定用信号識別情報の値を指定する情報、もしくは該測定用信号識別情報の値の選択実施を前記移動局装置に指示する情報のいずれかであること
を特徴とする請求項２に記載の基地局装置。
【請求項４】
前記送信部は、前記上りリンク同期要求を表す情報を、下りリンク制御用の下りリンク共用制御チャネルに配置して送信することを特徴とする請求項１から請求項３のいずれかの項に記載の基地局装置。
【請求項５】
基地局装置との上りリンク再同期要因を検出する再同期要因検出部と、
前記上りリンク再同期要因の発生を検出したときは、受信信号のうち、基地局装置との同期通信に用いるパラメータが配置される無線フレーム上の領域から、上りリンク同期要求を表す情報固有の方法で上りリンク同期要求を表す情報を信号抽出する受信部と、
前記受信部が前記上りリンク同期要求を表す情報を抽出したときは、同期ずれ測定用信号を生成する測定用信号生成部と、
前記同期ずれ測定用信号を送信する送信部と
を具備することを特徴とする移動局装置。
【請求項６】
前記受信部は、前記上りリンク同期要求を表す情報を検出したときは、該上りリンク同期要求を表す情報から、前記測定用信号に含める測定用信号識別情報に関する指示情報を取得することを特徴とする請求項５に記載の移動局装置。
【請求項７】
前記測定用信号識別情報を指示する情報は、該測定用信号識別情報の値を指定する情報、もしくは該測定用信号識別情報の値の選択実施を前記移動局装置に指示する情報のいずれかであり、
前記測定用信号生成部は、前記測定用信号識別情報を指示する情報に従った値の測定用信号識別情報を含む前記同期ずれ測定用信号を生成すること
を特徴とする請求項６に記載の移動局装置。
【請求項８】
前記受信部は、下りリンク制御用の下りリンク共用制御チャネルに配置された前記上りリンク同期要求を表す情報を抽出することを特徴とする請求項５から請求項７のいずれかの項に記載の移動局装置。
【請求項９】
前記送信部は、前記同期ずれ測定用信号を、ランダムアクセスチャネルを用いて送信することを特徴とする請求項５から請求項８のいずれかの項に記載の移動局装置。
【請求項１０】
基地局装置のコンピュータを、
移動局装置の上りリンク再同期要因を検出する再同期要因検出部、
前記再同期要因検出部が上りリンク再同期要因を検出した前記移動局装置に対する上りリンク同期要求を表す情報を生成するスケジューリング部、
前記スケジューリング部が生成した上りリンク同期要求を表す情報を、該情報固有の方法で信号化して、移動局装置との同期通信に用いるパラメータを配置する無線フレーム上の領域に配置し、送信する送信部
として機能させるプログラム。
【請求項１１】
移動局装置のコンピュータを、
基地局装置との上りリンク再同期要因を検出する再同期要因検出部、
前記上りリンク再同期要因の発生を検出したときは、受信信号のうち、基地局装置との同期通信に用いるパラメータが配置される無線フレーム上の領域から、上りリンク同期要求を表す情報固有の方法で上りリンク同期要求を表す情報を信号抽出する受信部、
前記受信部が前記上りリンク同期要求を表す情報を抽出したときは、同期ずれ測定用信号を生成する測定用信号生成部、
前記同期ずれ測定用信号を送信する送信部
として機能させるプログラム。
【請求項１２】
基地局装置における上りリンク同期要求方法であって、
前記基地局装置が、移動局装置の上りリンク再同期要因を検出する第１の過程と、
前記基地局装置が、前記第１の過程にて上りリンク再同期要因を検出した前記移動局装置に対する上りリンク同期要求を表す情報を生成する第２の過程と、
前記基地局装置が、前記第２の過程にて生成した上りリンク同期要求を表す情報を、該情報固有の方法で信号化して、移動局装置との同期通信に用いるパラメータを配置する無線フレーム上の領域に配置し、送信する第３の過程と
を備えることを特徴とする上りリンク同期要求方法。
【請求項１３】
移動局装置における同期ずれ測定用信号送信方法であって、
前記移動局装置が、基地局装置との上りリンク再同期要因を検出する第１の過程と、
前記移動局装置が、前記第１の過程にて前記上りリンク再同期要因の発生を検出したときは、受信信号のうち、基地局装置との同期通信に用いるパラメータが配置される無線フレーム上の領域から、上りリンク同期要求を表す情報固有の方法で上りリンク同期要求を表す情報を信号抽出する第２の過程と、
前記移動局装置が、前記第２の過程にて前記上りリンク同期要求を表す情報を抽出したときは、同期ずれ測定用信号を生成する第３の過程と、
前記移動局装置が、前記同期ずれ測定用信号を送信する第４の過程と
を備えることを特徴とする同期ずれ測定用信号送信方法。
【発明の詳細な説明】
【技術分野】
【０００１】
本発明は、基地局装置、移動局装置、プログラム、上りリンク同期要求方法および同期ずれ測定用信号送信方法、特に、移動局装置から基地局装置への上りリンクについて時間同期を行う基地局装置、移動局装置、プログラム、上りリンク同期要求方法および同期ずれ測定用信号送信方法に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡ（High Speed Downlink Packet Access：高速下りパケット接続）も標準化され、サービスが開始されようとしている。
【０００３】
一方、３ＧＰＰでは、第三世代無線アクセスの進化（Evolved Universal Terrestrial Radio Access；以下、「ＥＵＴＲＡ」という）が検討されている。ＥＵＴＲＡの下りリンクとして、ＯＦＤＭ（Orthogonal Frequency Division Multiplexing；直交周波数分割多重）方式が提案されている。また、ＥＵＴＲＡの上りリンクとして、ＤＦＴ（Discrete Fourier Transform；離散フーリエ変換）−ｓｐｒｅａｄ  ＯＦＤＭ方式のシングルキャリア通信方式が提案されている。
【０００４】
図１４は、ＥＵＴＲＡの上りリンクおよび下りリンクのチャネル構成を示す図である。ＥＵＴＲＡの下りリンクは、下りリンクパイロットチャネルＤＰｉＣＨ（Downlink Pilot Channel）、下りリンク同期チャネルＤＳＣＨ（Downlink Synchronization Channel）、下りリンク共通制御チャネル、下りリンク共用制御チャネルＰＤＣＣＨ（Physical Downlink Control Channel）（Ｌ１／Ｌ２（Ｌａｙｅｒ１／Ｌａｙｅｒ２）制御チャネル）、下りリンク共用データチャネルＤＬ−ＳＣＨ（Downlink-Shared Channel）により構成されている。
また、ＥＵＴＲＡの上りリンクは、上りリンクパイロットチャネルＵＰｉＣＨ（Uplink Pilot Channel）、ランダムアクセスチャネルＲＡＣＨ（Random Access Channel）、上りリンク共用データチャネルＵＬ−ＳＣＨ（Uplink-Shared Channel）、上りリンク共用制御チャネルＰＵＣＣＨ（Physical Uplink Control Channel）により構成されている（非特許文献１を参照）。
【０００５】
図１５は、ランダムアクセスチャネルＲＡＣＨと、上りリンク共用データチャネルＵＬ−ＳＣＨと、上りリンク共用制御チャネルＰＵＣＣＨとの無線リソース上への配置例を示した図である。図１５に示す図は、横軸に時間をとり、縦軸に周波数をとっている。図１５は、１つの無線フレームの構成を示しており、この無線フレームは複数の無線リソースに分割される。この例では、無線リソースは、周波数方向に１．２５ＭＨｚ、時間方向に１ｍｓの領域を単位として構成され、これらの領域に、図１４にて説明したランダムアクセスチャネルＲＡＣＨと、上りリンク共用データチャネルＵＬ−ＳＣＨとが図示のように割り当てられている。このように、ランダムアクセスチャネルＲＡＣＨの最小単位は、１．２５ＭＨｚの帯域を使用する。なお、図１５において、上りリンクパイロットチャネルＵＰｉＣＨは、上りリンク共用データチャネルＵＬ−ＳＣＨの領域内に、シンボル単位、サブキャリア単位で分散して配置される。また、ＥＵＴＲＡでは、ランダムアクセスチャネルＲＡＣＨ用に、複数のチャネルを用意しているので、同時に複数のランダムアクセスに対応できる。ランダムアクセスチャネルＲＡＣＨの使用目的のうちの最大のものは、移動局装置−基地局装置間を同期させることである。また、ランダムアクセスチャネルＲＡＣＨでは、無線リソースを割当てるスケジューリングのリクエストなどの数ビットの情報も送信して、接続時間を短くすることも考慮されている（非特許文献２を参照）。
【０００６】
ランダムアクセスチャネルＲＡＣＨでは、同期をとるためにプリアンブルのみを送信する。プリアンブルには、情報を表す信号パターンであるシグネチャが含まれている。数十種類のシグネチャを用意しておき、これらの中から選択して用いることで、数ビットの情報を表現することができる。現在、ＥＵＴＲＡでは、シグネチャにより６ビットの情報を送信する。この６ビットのために、２の６乗の６４種類のシグネチャが用意される。
シグネチャによる６ビットのうち、５ビットにランダムＩＤを割当て、残りの１ビットにランダムアクセスの理由、下りリンクのパスロス／ＣＱＩ（Ｃｈａｎｎｅｌ  Ｑｕａｌｉｔｙ  Ｉｎｄｉｃａｔｏｒ）などのいずれかの情報を割り当てる（非特許文献３を参照）。
【０００７】
図１６は、ランダムアクセスチャネルＲＡＣＨを用いた上りリンク同期のシーケンス例を示すシーケンス図である。まず、移動局装置が、ランダムＩＤ、ランダムアクセスの理由、下りリンクのパスロス／ＣＱＩ情報などに基づき、シグネチャを選択し、ランダムアクセスチャネルＲＡＣＨで、該シグネチャを含むプリアンブルを送信する（メッセージＭａ１）。基地局装置は、移動局装置からのプリアンブルを受信すると、予めプリアンブルとして記憶している信号パターンとこの受信したプリアンブルを比較することで、移動局装置−基地局装置間の同期タイミングずれを算出し、Ｌ２／Ｌ３（Ｌａｙｅｒ２／Ｌａｙｅｒ３）メッセージを送信するためスケジューリングを行い、プリアンブルに含まれるランダムアクセス理由からセル内移動局識別情報Ｃ−ＲＮＴＩ（Cell Radio Network Temporary Identifier）が必要な移動局装置にはＣ−ＲＮＴＩを割り当て、同期タイミングずれ情報、スケジューリング情報、Ｃ−ＲＮＴＩおよびランダムＩＤを含んだプリアンブル応答を送信する（メッセージＭａ２）。移動局装置は、送信したランダムＩＤが含まれる基地局装置からのプリアンブル応答を抽出して、スケジューリングされた無線リソースでＬ２／Ｌ３メッセージを送信する（メッセージＭａ３）。基地局装置は、移動局装置からのＬ２／Ｌ３メッセージを受信して、移動局装置間で衝突が起こっているかどうか判断するためのコンテンションレゾリューションを移動局装置に送信する（メッセージＭａ４）（非特許文献３を参照）。
【０００８】
ランダムアクセスでは、複数の移動局装置が、シグネチャおよびランダムアクセスチャネルＲＡＣＨとして同じものを選択した場合に、これらの移動局装置のランダムアクセスは衝突してしまう。ランダムアクセスが衝突したときのシーケンスを、図１６を参照して説明する。複数の移動局装置が、同じシグネチャを選択し、同じ時間・周波数を有する無線リソースブロック、すなわち同じランダムアクセスチャネルＲＡＣＨを用いてプリアンブルを送信した場合、メッセージＭａ１で衝突が発生する。この衝突により、基地局装置がメッセージＭａ１を検出できない場合、基地局装置は、プリアンブル応答（メッセージＭａ２）を返すことができない。移動局装置は、基地局装置からのプリアンブル応答（メッセージＭａ２）を受信できないので、一定期間の後、再度、シグネチャ、ランダムアクセスチャネルＲＡＣＨを選択し、ランダムアクセスを行う。また、衝突が起きていても、基地局装置が、プリアンブル（メッセージＭａ１）を検出できた場合、基地局装置は、Ｌ２／Ｌ３メッセージスケジューリングと同期タイミングずれを算出し、移動局装置にプリアンブル応答（メッセージＭａ２）を返す。しかし、このプリアンブル応答については、複数の移動局装置が受信することになり、複数の移動局装置が、スケジューリングされたリソースにＬ２／Ｌ３メッセージ（メッセージＭａ３）の送信を行うので、メッセージＭａ３で衝突が発生する。基地局装置は、この衝突によりＬ２／Ｌ３メッセージを受信できず、応答を返せない。Ｌ２／Ｌ３メッセージの応答がないので、移動局装置は、再度、シグネチャを選択し、ランダムアクセスを行う。
【０００９】
移動局装置と基地局装置との間の上りリンク同期が外れた状態（例えば、長い期間データの送受信がなく、移動局装置が長い周期で下りリンクリソース割当ての信号を監視しているＤＲＸ（Discontinuous Reception）状態）の場合、基地局装置からの下りリンクのデータ送信が再開されると、移動局装置は、ハイブリッド自動再送ＨＡＲＱ（Hybrid Automatic Repeat Request）のための受信応答であるＡＣＫ／ＮＡＣＫ（Acknowledgement / Negative Acknowledgement）を送信することができない。なぜなら、上りリンク同期が外れているので、ハイブリッド自動再送ＨＡＲＱのＡＣＫ／ＮＡＣＫを送信すると、他の移動局装置に対して干渉してしまうためである。よって、下りリンクのデータ送信再開の際に、ランダムアクセスを用いた上りリンク同期をとる必要がある。しかし、このランダムアクセスを行う際に衝突が発生してしまったときに、下りリンクのデータ送信が再開されるまでに長い時間がかかることが懸念されている。これを回避するために、下りリンクのデータ送信再開用のシグネチャを用いるなどして、下りリンクのデータ送信再開時のランダムアクセスにおいて、衝突を発生させないような提案が行われている。
【００１０】
図１７は、下りリンクのデータ送信再開のランダムアクセスにおいて、衝突を発生させないようにしたシーケンスを示す図である。
基地局装置は、上りリンク同期が外れた状態の移動局装置への下りリンクのデータ送信再開を決定すると、その移動局装置に対して、上りリンク同期要求を送信する（メッセージＭｂ１）。この上りリンク同期要求は、Ｌ１／Ｌ２（Ｌａｙｅｒ１／Ｌａｙｅｒ２）制御チャネルを使って送信される。上りリンク同期要求の中には、移動局装置が送信するべきランダムアクセスのシグネチャＩＤ番号が含まれている。これを専用シグネチャと呼ぶ。移動局装置は、上りリンク同期要求で受信した専用シグネチャを使って、ランダムアクセスを行う、すなわちプリアンブルを送信する（メッセージＭｂ２）。専用シグネチャを含んだプリアンブルを受信した基地局装置は、このプリアンブルにより同期タイミングのずれを検出する。そして、基地局装置は、移動局装置に対して、同期タイミングのずれ示すＴＡ（Timing Advance）コマンドをプリアンブル応答として送信する（メッセージＭｂ３）。基地局装置は、ＴＡコマンドを送信すると、下りリンクリソース割当てを含むＬ１／Ｌ２制御チャネルを送り（メッセージＭｂ４）、続いて、下りリンクのデータ送信を再開する（メッセージＭｂ５）（非特許文献４を参照）。
【非特許文献１】Ｒ１−０５０８５０  “Ｐｈｙｓｉｃａｌ  Ｃｈａｎｎｅｌ  ａｎｄ  Ｍｕｌｔｉｐｌｅｘｉｎｇ  ｉｎ  Ｅｖｏｌｖｅｄ  ＵＴＲＡ  Ｕｐｌｉｎｋ”，３ＧＰＰ  ＴＳＧ  ＲＡＮ  ＷＧ１  Ｍｅｅｔｉｎｇ＃４２  Ｌｏｎｄｏｎ，ＵＫ，Ａｕｇｕｓｔ  ２９−Ｓｅｐｔｅｍｂｅｒ  ２，２００５
【非特許文献２】３ＧＰＰ  ＴＲ（Ｔｅｃｈｎｉｃａｌ  Ｒｅｐｏｒｔ）２５.８１４、Ｖ７.０.０（２００６−０６）、Ｐｈｙｓｉｃａｌ  ｌａｙｅｒ  ａｓｐｅｃｔｓ  ｆｏｒ  ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ＵＴＲＡ）
【非特許文献３】３ＧＰＰ  ＴＳ（Ｔｅｃｈｎｉｃａｌ  Ｓｐｅｃｉｆｉｃａｙｉｏｎ）３６．３００、Ｖ０．９０（２００７−０３）、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  ｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）、Ｏｖｅｒａｌｌ  ｄｅｓｃｒｉｐｔｉｏｎ  Ｓｔａｇｅ２
【非特許文献４】Ｒ２−０６２１６５  “ＵＬ  Ｓｙｎｃｈｒｏｎｉｓａｔｉｏｎ” ，３ＧＰＰ  ＴＳＧ  ＲＡＮ  ＷＧ２  Ｍｅｅｔｉｎｇ＃５４  Ｔａｌｌｉｎｎ，２８  Ａｕｇｕｓｔ−１  Ｓｅｐｔ，２００６
【発明の開示】
【発明が解決しようとする課題】
【００１１】
上述のランダムアクセスにおいて衝突を発生させないようにした下りリンクのデータ送信再開方法では、ハイブリッド自動再送ＨＡＲＱのＡＣＫ／ＮＡＣＫが不要な下りリンク共用制御チャネルＰＤＣＣＨ（Ｌ１／Ｌ２制御チャネル）を使って、上りリンク同期要求を送信する。下りリンク共用制御チャネルＰＤＣＣＨは、基地局装置と移動局装置との間でユーザーデータなどを送受信するための適応変調のパラメータやチャネルの割当て情報などを伝送するチャネルであるため、無線リソースに固定的に割り当てられて頻繁に伝送されるチャネルである。このように頻繁に伝送される下りリンク共用制御チャネルＰＤＣＣＨに、稀にしか発生しない上りリンク同期要求を配置する領域を確保すると、無線リソースの利用効率が悪くなるという問題がある。
【００１２】
本発明は、このような事情に鑑みてなされたもので、その目的は、優れた無線リソースの利用効率が得られるように、上りリンク同期要求を下りリンク共用制御チャネルＰＤＣＣＨへ配置する基地局装置、移動局装置、プログラム、上りリンク同期要求方法および同期ずれ測定用信号送信方法を提供することにある。
【課題を解決するための手段】
【００１３】
この発明は上述した課題を解決するためになされたもので、本発明の基地局装置は、移動局装置の上りリンク再同期要因を検出する再同期要因検出部と、前記再同期要因検出部が上りリンク再同期要因を検出した前記移動局装置に対する上りリンク同期要求を表す情報を生成するスケジューリング部と、前記スケジューリング部が生成した上りリンク同期要求を表す情報を、該情報固有の方法で信号化して、移動局装置との同期通信に用いるパラメータを配置する無線フレーム上の領域に配置し、送信する送信部とを具備することを特徴とする。
【００１４】
また、本発明の基地局装置は、上述の基地局装置であって、前記上りリンク同期要求を表す情報は、該同期要求を受けた前記移動局装置が送信する同期ずれ測定用信号に含める測定用信号識別情報に関する指示情報を含むことを特徴とする。
【００１５】
また、本発明の基地局装置は、上述の基地局装置であって、前記測定用信号識別情報に関する指示情報は、該測定用信号識別情報の値を指定する情報、もしくは該測定用信号識別情報の値の選択実施を前記移動局装置に指示する情報のいずれかであることを特徴とする。
【００１６】
また、本発明の基地局装置は、上述のいずれかの基地局装置であって、前記送信部は、前記上りリンク同期要求を表す情報を、下りリンク制御用の下りリンク共用制御チャネルに配置して送信することを特徴とする。
【００１７】
また、本発明の移動局装置は、基地局装置との上りリンク再同期要因を検出する再同期要因検出部と、前記上りリンク再同期要因の発生を検出したときは、受信信号のうち、基地局装置との同期通信に用いるパラメータが配置される無線フレーム上の領域から、上りリンク同期要求を表す情報固有の方法で上りリンク同期要求を表す情報を信号抽出する受信部と、前記受信部が前記上りリンク同期要求を表す情報を抽出したときは、同期ずれ測定用信号を生成する測定用信号生成部と、前記同期ずれ測定用信号を送信する送信部とを具備することを特徴とする。
【００１８】
また、本発明の移動局装置は、上述の移動局装置であって、前記受信部は、前記上りリンク同期要求を表す情報を検出したときは、該上りリンク同期要求を表す情報から、前記測定用信号に含める測定用信号識別情報に関する指示情報を取得することを特徴とする。
【００１９】
また、本発明の移動局装置は、上述の移動局装置であって、前記測定用信号識別情報を指示する情報は、該測定用信号識別情報の値を指定する情報、もしくは該測定用信号識別情報の値の選択実施を前記移動局装置に指示する情報のいずれかであり、前記測定用信号生成部は、前記測定用信号識別情報を指示する情報に従った値の測定用信号識別情報を含む前記同期ずれ測定用信号を生成することを特徴とする。
【００２０】
また、本発明の移動局装置は、上述のいずれかの移動局装置であって、前記受信部は、下りリンク制御用の下りリンク共用制御チャネルに配置された前記上りリンク同期要求を表す情報を抽出することを特徴とする。
【００２１】
また、本発明の移動局装置は、上述のいずれかの移動局装置であって、前記送信部は、前記同期ずれ測定用信号を、ランダムアクセスチャネルを用いて送信することを特徴とする。
【００２２】
また、本発明のプログラムは、基地局装置のコンピュータを、移動局装置の上りリンク再同期要因を検出する再同期要因検出部、前記再同期要因検出部が上りリンク再同期要因を検出した前記移動局装置に対する上りリンク同期要求を表す情報を生成するスケジューリング部、前記スケジューリング部が生成した上りリンク同期要求を表す情報を、該情報固有の方法で信号化して、移動局装置との同期通信に用いるパラメータを配置する無線フレーム上の領域に配置し、送信する送信部として機能させる。
【００２３】
また、本発明のプログラムは、移動局装置のコンピュータを、基地局装置との上りリンク再同期要因を検出する再同期要因検出部、前記上りリンク再同期要因の発生を検出したときは、受信信号のうち、基地局装置との同期通信に用いるパラメータが配置される無線フレーム上の領域から、上りリンク同期要求を表す情報固有の方法で上りリンク同期要求を表す情報を信号抽出する受信部、前記受信部が前記上りリンク同期要求を表す情報を抽出したときは、同期ずれ測定用信号を生成する測定用信号生成部、前記同期ずれ測定用信号を送信する送信部として機能させる。
【００２４】
また、本発明の上りリンク同期要求方法は、基地局装置における上りリンク同期要求方法であって、前記基地局装置が、移動局装置の上りリンク再同期要因を検出する第１の過程と、前記基地局装置が、前記第１の過程にて上りリンク再同期要因を検出した前記移動局装置に対する上りリンク同期要求を表す情報を生成する第２の過程と、前記基地局装置が、前記第２の過程にて生成した上りリンク同期要求を表す情報を、該情報固有の方法で信号化して、移動局装置との同期通信に用いるパラメータを配置する無線フレーム上の領域に配置し、送信する第３の過程とを備えることを特徴とする。
【００２５】
また、本発明の同期ずれ測定用信号送信方法は、移動局装置における同期ずれ測定用信号送信方法であって、前記移動局装置が、基地局装置との上りリンク再同期要因を検出する第１の過程と、前記移動局装置が、前記第１の過程にて前記上りリンク再同期要因の発生を検出したときは、受信信号のうち、基地局装置との同期通信に用いるパラメータが配置される無線フレーム上の領域から、上りリンク同期要求を表す情報固有の方法で上りリンク同期要求を表す情報を信号抽出する第２の過程と、前記移動局装置が、前記第２の過程にて前記上りリンク同期要求を表す情報を抽出したときは、同期ずれ測定用信号を生成する第３の過程と、前記移動局装置が、前記同期ずれ測定用信号を送信する第４の過程とを備えることを特徴とする。
【発明の効果】
【００２６】
この発明によれば、上りリンク信号の送受信が一定期間なかったときは、基地局装置と移動局装置との同期通信に用いるパラメータを配置する無線フレーム上の領域に、移動局装置に対する上りリンク同期要求を表す情報を配置するので、優れた無線リソースの利用効率が得られるように、上りリンク同期要求を配置することができる。
【発明を実施するための最良の形態】
【００２７】
以下、図面を参照して、本発明の実施の形態について説明する。本実施形態における無線通信システムは、第三世代無線アクセスの進化ＥＵＴＲＡと同様に、基地局装置と複数の移動局装置とからなる。本実施形態において、移動局装置から基地局装置への通信接続を「上りリンク」といい、基地局装置から移動局装置への通信接続を「下りリンク」という。本実施形態における下りリンクは、下りリンクパイロットチャネルＤＰｉＣＨ、下りリンク同期チャネルＤＳＣＨ、下りリンク共通制御チャネル、下りリンク共用制御チャネルＰＤＣＣＨ（Ｌ１／Ｌ２（Ｌａｙｅｒ１／Ｌａｙｅｒ２）制御チャネル）、下りリンク共用データチャネルＤＬ−ＳＣＨにより構成されている。また、本実施形態における上りリンクは、上りリンクパイロットチャネルＵＰｉＣＨ、ランダムアクセスチャネルＲＡＣＨ、上りリンク共用データチャネルＵＬ−ＳＣＨにより構成されている。
【００２８】
ランダムアクセスチャネルＲＡＣＨとは、ガードタイムを持つ上りリンクのチャネルである。このため、上りリンクについて基地局装置との時間の同期が取れていない移動局装置が、このランダムアクセスチャネルＲＡＣＨを用いて送信しても、該移動局装置の同期ずれがこのガードタイムの範囲内であれば、他のチャネルに対して干渉を起こすことなく送信することができる。このランダムアクセスチャネルＲＡＣＨにて送信するプリアンブルに含めるシグネチャは、６４個のシグネチャから選択可能である。移動局装置は、これら６４個のシグネチャの中から一つを選択し、プリアンブルに含めて送信する。
【００２９】
下りリンク共用制御チャネルＰＤＣＣＨ（Ｌ１／Ｌ２制御チャネル）は、各無線フレームに固定した領域が割り当てられており、その領域は、下りリンク制御用と上りリンク制御用に分けられる。この下りリンク制御用の領域と、上りリンク制御用の領域とには、移動局装置毎の下りリンク制御用の情報と、上りリンク制御用の情報とが各々配置される。基地局装置が送信したこれらの制御用の情報の中から、移動局装置は、自装置を対象とした情報を受信する。これらの制御用の情報には、各移動局装置に対するリソース（周波数と時間とで決まる無線フレーム上の領域）割当ての情報、適応変調のパラメータ、ハイブリッド自動再送ＨＡＲＱなど、基地局装置と移動局装置とのデータ通信（同期通信）に用いるパラメータが含まれている。
【００３０】
図１は、上りリンクの同期が取れている移動局装置に対する下りリンク制御用の情報のフォーマットを示す図である。この下りリンク制御用の情報は、図１に示すように、下りリンクリソース割当て（１２ビット：下りリンクについて移動局装置に割り当てられたリソース位置を示す）、ＭＣＳ（Modulation and Coding Scheme；変調及び符号化方式）情報（３ビット：変調方式、符号化方式を指定する）、ＭＩＭＯ（Multiple Input Multiple Output）情報（２ビット：アンテナ本数などを指定する）、ペイロードサイズ（５ビット：下りリンクで割り当てられたリソース内に含まれるペイロードのサイズ）、ＨＡＲＱ情報（５ビット）、Ｃ−ＲＮＴＩ（Cell specific Radio Network Temporary Identity：セル内移動局識別情報）（１６ビット：基地局装置内において移動局装置を識別するための移動局装置識別情報）で構成されている。この下りリンク制御用の情報の巡回冗長検査ＣＲＣ（Cyclic Redundancy Check）は、Ｃ−ＲＮＴＩと兼用されている。すなわち、該領域を含んだ下りリンク制御用の情報について、巡回冗長検査ＣＲＣを算出すると、その値がＣ−ＲＮＴＩとなる。移動局装置は、各下りリンク制御用の情報について、巡回冗長検査ＣＲＣを算出し、その結果が自装置のＣ−ＲＮＴＩであるか否かに基づき、該下りリンク制御用の情報が自装置に対する情報であるか否かを判定する。
【００３１】
図２は、上りリンクの同期が取れている移動局装置に対する上りリンク制御用の情報のフォーマットを示す図である。上りリンク制御用の情報は、図２に示すように、上りリンクリソース割当て（１０ビット：上りリンクについて移動局装置に割り当てられたリソース位置を示す）、ＭＣＳ情報（３ビット：変調方式、符号化方式を指定する）、ペイロードサイズ（５ビット：下りリンクで割り当てられたリソース内に含まれるペイロードのサイズ）、ＲＳＦ（Reference Signal Format）（２ビット：リファレンス信号送信フォーマット）、ＴＰＣ（Transmission Power Control：送信電力制御）（４ビット：送信電力）、Ｃ−ＲＮＴＩで構成されている。この上りリンク制御用の情報の巡回冗長検査ＣＲＣは、Ｃ−ＲＮＴＩと兼用されている。すなわち、図１の下りリンク制御用の情報のときと同様に、巡回冗長検査ＣＲＣを算出し、その結果が自装置のＣ−ＲＮＴＩであるか否かに基づき、自装置に対する情報であるか否かを判定する。
【００３２】
図３は、上りリンク再同期が必要なとき、すなわち上りリンク再同期要因が検出されたときに送信される、上りリンク同期要求用の制御情報のフォーマットを示す図である。上りリンク同期要求用の制御情報は、先頭の１４ビットに上りリンク同期要求を配置し、次の１６ビットに該上りリンク同期要求の対象となる移動局装置のＣ−ＲＮＴＩを配置する。この上りリンク同期要求用の制御情報は、下りリンク制御用の下りリンク共用制御チャネルまたは上りリンク制御用の下りリンク共用制御チャネルとは、異なるサイズ（３０ビット）の情報であるが、基地局装置と移動局装置ともに上りリンク再同期要因のタイミングをタイマーで管理しているため、上りリンク再同期要因が発生したときは、図３に示すフォーマットであることを検知できる。
【００３３】
基地局装置、移動局装置ともに上りリンク再同期要因を検出した状態にあるときに、この上りリンク同期要求用の制御情報は送信されるので、移動局は、下りリンク共用制御チャネルの領域で送信された制御情報が、上りリンク同期要求用の制御情報であることを認識することができる。この上りリンク同期要求用の制御情報は、例えば、下りリンク制御用の下りリンク共用制御チャネルと同じビット数で構成されているとする。移動局装置は、通常の下りリンク共用制御チャネルと同じデコード処理を行うが、Ｃ−ＲＮＴＩ以外の情報列は、上りリンク再同期用の制御情報としてデコードする。すなわち、３０ビットの上りリンク同期要求用の制御情報と１６ビットのＣ−ＲＮＴＩ以外の７ビットは、０などでパディングされる。別の例として、この上りリンク同期要求用の制御情報は、例えば下りリンク制御用の下りリンク共用制御チャネルのサブキャリアを使用して、誤り訂正符号化率を落としたり、変調方式を変更したりして、該制御情報固有の方法で符号化することが可能である。例えば、下りリンク制御用の下りリンク共用制御チャネルの４３ビットは、変調方式ＱＰＳＫ（Quadrature Phase Shift Keying：４相位相偏移変調）、符号化率１／３で符号化した場合、６５サブキャリアで構成されることになる。これに対して、上りリンク同期要求用の制御情報の３０ビットは、変調方式ＢＰＳＫ（Binary Phase Shift Keying：２相位相偏移変調）、符号化率１／２や、変調方式ＱＰＳＫ、符号化率１／４で符号化し、６５サブキャリアで構成される。または、４５サブキャリアを使って、変調方式ＱＰＳＫ、符号化率１／３で符号化されても良い。
【００３４】
基地局装置のタイマーと移動局装置のタイマーは同期しているため、基地局装置のタイマーが満了していることによって、基地局装置は移動局装置のタイマーが満了していることを検知できる。よって、基地局装置が、上りリンク同期要求用の制御情報を、予め定められた領域、情報列、符号化方式、変調方式で信号化し、送信すれば、移動局装置は、予め定められた領域、情報列、符号化方式、変調方式で信号抽出し、上り同期要求用の制御情報のデコード処理を行うことができる。これによって、基地局装置と移動局装置の間で信号のやり取りを行うことなく、自動的に上りリンク同期要求用の制御情報の送信が可能となる。さらに、伝送効率の低い符号化方式と変調方式とを用いて、確実に上りリンク同期要求用の制御情報を伝送するようにする、あるいは上り同期要求用の制御情報を符号化および変調した信号が必要な無線リソースの大きさが使用可能な領域と一致するような符号化方式および変調方式を用いるなど、該情報に最適化した制御信号フォーマットを使用することが可能となり、リソースの効率的な利用を実現できる。
【００３５】
図４は、図３で説明した移動局装置に対する上りリンク同期要求を含んだ下りリンク制御用の情報のフォーマットの詳細な例を示している。まず、このフォーマットの先頭の「種別」には、シグネチャの種別を示す情報の領域を３ビット配置する。シグネチャの種別とは、専用シグネチャなのか、ランダムシグネチャかを示す。ここで、専用シグネチャは、基地局装置から上りリンク同期要求にて指定された移動局装置のみがランダムアクセスに用いるシグネチャである。この「種別」の領域の次の「シグネチャ」には、シグネチャの種別が専用シグネチャのときにシグネチャＩＤ番号を指定する領域を６ビット配置する。その次の「フレーム番号」には、シグネチャの種別が専用シグネチャのときに、「シグネチャ」の領域で指定したシグネチャＩＤ番号を使用可能な無線フレーム領域を指定する領域を５ビット配置する。予め有効期間などが仕様で定義されている場合は、使用可能無線フレーム領域を信号する必要はない。その次の「Ｃ−ＲＮＴＩ」は、上りリンクの同期が取れているときと同様に、この下りリンク制御用の情報が対象としている移動局装置識別情報を指定する領域であり、巡回冗長検査ＣＲＣを兼ねる領域を１６ビット配置する。図１の下りリンク制御用の情報のときと同様に、巡回冗長検査ＣＲＣを算出し、その結果が自装置のＣ−ＲＮＴＩであるか否かに基づき、自装置に対する情報であるか否かを判定する。
【００３６】
図４は、基地局装置の構成を示す概略ブロック図である。基地局装置は、データ制御部１０、ＯＦＤＭ変調部１１、スケジューリング部１２、チャネル推定部１３、ＤＦＴ−Ｓ−ＯＦＤＭ復調部１４、制御データ抽出部１５、プリアンブル検出部１６、シグネチャ管理部１７、無線部１９、上位層処理部３０を具備する。スケジューリング部１２は、ＤＬスケジューリング部２０、ＵＬスケジューリング部２１を具備する。データ制御部１０は、上位層処理部３０から受けたユーザーデータと制御データとをスケジューリング部１２からの指示により、制御データを下りリンク共通制御チャネル、下りリンク同期チャネル、下りリンクパイロットチャネル、下りリンク共用制御チャネルＰＤＣＣＨにマッピングし、各移動局装置に対する送信データを下りリンク共用データチャネルＤＬ−ＳＣＨにマッピングする。また、データ制御部１０は、上りリンク制御用の情報と、下りリンク制御用の情報とをスケジューリング部１２から受け、下りリンク共用制御チャネルＰＤＣＣＨにマッピングする。
【００３７】
また、データ制御部１０は、後述するようにＵＬスケジューリング２１が上りリンク再同期要因を検出したときは、上りリンク同期要求を表す情報の制御情報をスケジューリング部１２から受け、下りリンク共用制御チャネルＰＤＣＣＨにマッピングする。ＯＦＤＭ変調部１１は、データ制御部１０が各チャネルにマッピングしたデータを、データ変調、直列／並列変換、ＩＦＦＴ（Ｉｎｖｅｒｓｅ  Ｆａｓｔ  Ｆｏｕｒｉｅｒ  Ｔｒａｎｓｆｏｒｍ：逆高速フーリエ）変換、ＣＰ（Ｃｙｃｌｉｃ  Ｐｒｅｆｉｘ）挿入、フィルタリングなどＯＦＤＭ信号処理を行い、ＯＦＤＭ信号を生成する。このとき、ＯＦＤＭ変調部１１は、後述するようにＵＬスケジューリング２１が上りリンク再同期要因を検出したときは、上りリンク同期要求を表す情報の制御情報がマッピングされた下りリンク共用制御チャネルＰＤＣＣＨについては、上りリンク同期要求を表す情報に固有の情報列、誤り訂正符号化方式、変調方式にてＯＦＤＭ信号を生成する。この上りリンク同期要求を表す情報に固有の情報列配置方式、誤り訂正符号化方式、変調方式は、予め決められた方式であり、固有であるのは情報列配置方式、誤り訂正符号化方式、変調方式のいずれか１つだけであってもよい。無線部１９は、ＯＦＤＭ変調部１１が生成したＯＦＤＭ変調信号を無線周波数にアップコンバートして、アンテナを介して移動局装置に送信する。このように、ＯＦＤＭ変調部１１１と無線部１９とで、ユーザーデータと制御データとを送信する送信部として機能する。
【００３８】
また、無線部１９は、移動局装置からの上りリンクの信号をアンテナを介して受信し、ベースバンド信号にダウンコンバートした受信信号をＤＦＴ−Ｓ−ＯＦＤＭ復調部１４、チャネル推定部１３およびプリアンブル検出部１６に渡す。チャネル推定部１３は、受信信号中の上りリンクパイロットチャネルＵＰｉＣＨから無線伝搬路特性を推定し、ＤＦＴ−Ｓ−ＯＦＤＭ復調部１４に、この推定結果を渡す。また、チャネル推定部１３は、上りリンクのスケジューリングを行う為に、この推定結果をスケジューリング部１２に渡す。尚、上りリンクの通信方式は、ＤＦＴ−ｓｐｒｅａｄ  ＯＦＤＭ等のようなシングルキャリア方式を想定しているが、ＯＦＤＭ方式のようなマルチキャリア方式でもかまわない。
【００３９】
ＤＦＴ−Ｓ−ＯＦＤＭ復調部１４は、チャネル推定部１３から受けた無線伝搬路特性と、制御データ抽出部１５から受けたリソース割当て情報や適応変調のパラメータの情報などとを用いて、無線部１９から受けた受信信号を復調して、受信データを得る。制御データ抽出部１５では、受信データをユーザーデータ（上りリンク共用データチャネルＵＬ−ＳＣＨ）と制御データ（上りリンク共用制御チャネルＰＵＣＣＨ）に分離する。制御データ抽出部１５は、制御データの中で下りリンクのＣＱＩ情報はスケジューリング部１２に出力し、その他の制御データとユーザーデータは上位層処理部３０に渡す。
【００４０】
スケジューリング部１２は、前述のように下りリンクのスケジューリングを行うＤＬスケジューリング部２０と上りリンクのスケジューリングを行うＵＬスケジューリング部２１を具備する。ＤＬスケジューリング部２０は移動局装置から通知されるＣＱＩ情報や上位層処理部３０から通知される各ユーザーデータのスケジューリング情報から下りリンクの各チャネルにユーザーデータをマッピングする為のスケジューリングを行う。ＤＬスケジューリング部２０はスケジューリング結果に基づき、図１に示した同期が取れている移動局装置に対する下りリンク制御用の情報を生成し、データ制御部１０に出力する。ＵＬスケジューリング部２１は、チャネル推定部１３からの上りリンクの無線伝搬路推定結果と移動局装置からのリソース割り当て要求から上りリンクの各チャネルにユーザーデータをマッピングする為のスケジューリングを行う。ＵＬスケジューリング部２１はスケジューリング結果に基づき、図２に示した同期が取れている移動局装置に対する上りリンク制御用の情報を生成し、データ制御部１０に出力する。
【００４１】
ＵＬスケジューリング部（再同期要因検出部）２１は、タイマーを使って各移動局装置の上りリンク同期状況を管理し、一定時間、上りリンクによる送受信の無かった、または、上りリンク同期情報の更新がない状態が継続した場合に移動局装置を、上りリンク再同期要因発生として検出する再同期要因検出部として機能する。スケジューリング部１２は、このタイマーにより検出した上りリンク再同期が必要な移動局装置について、上りリンク再同期要因を上位層処理部３０に通知するとともに、これらの移動局装置各々の上りリンク同期要求を含んだ下りリンク制御用の情報を生成し、データ制御部１０に出力する。スケジューリング部１２は、上りリンク同期要求を含んだ下りリンク制御用の情報を生成する際に、シグネチャ管理部１７から使用可能な専用シグネチャのシグネチャＩＤ番号を取得し、下りリンク制御用の情報に格納するとともに、シグネチャ管理部１７に、該シグネチャＩＤ番号を使用する移動局装置を識別する情報と、使用する無線フレーム領域とを登録する。
【００４２】
プリアンブル検出部１６は、無線部１９から受けた受信信号から同期ずれ測定用信号であるプリアンブルを検出し、さらに同期タイミングずれ量を算出する。プリアンブル検出部１６は、検出したプリアンブルから取得したシグネチャＩＤ番号（測定用信号識別情報）と、算出した同期タイミングずれ量とを上位層処理部３０に報告する。プリアンブル検出部１６は、取得したシグネチャＩＤ番号が、シグネチャ管理部１７から通知されたシグネチャの場合は、専用シグネチャフラグを１に設定し、シグネチャ管理部から通知されていないシグネチャの場合は、専用シグネチャフラグを０に設定する。また、プリアンブル検出部１６は、取得したシグネチャＩＤ番号が、シグネチャ管理部１７から通知されたシグネチャの場合は、シグネチャ管理部１７に通知されたシグネチャＩＤ番号のプリアンブルを検出したことを報告する。
【００４３】
シグネチャ管理部１７は、ＵＬスケジューリング部２１からの指示により、専用シグネチャを選択し、選択した専用シグネチャのＩＤ番号をＵＬスケジューリング部２１に通知する。また、選択したシグネチャをプリアンブル検出部１６に通知する。シグネチャ管理部１７は、専用シグネチャ選択の際は、使用している専用シグネチャのシグネチャＩＤ番号を確認し、使用している専用シグネチャを除いた中から選択する。シグネチャ管理部１７は、選択されたシグネチャＩＤ番号を使用中として登録し、プリアンブル検出部１６で検出されたシグネチャを保存内容から削除する。上位層処理部３０は、後述の図７から図１２で説明する手順を行うように基地局装置を制御する。
【００４４】
図６は、移動局装置の構成を示す概略ブロック図である。移動局装置は、データ制御部５０、ＤＦＴ−Ｓ−ＯＦＤＭ変調部５１、スケジューリング部５２、ＯＦＤＭ復調部５３、チャネル推定部５４、制御データ抽出部５５、同期補正部５６、プリアンブル生成部５７、シグネチャ選択部５８、無線部５９、上位層処理部６０を具備する。
ユーザーデータと制御データは、データ制御部５０に入力され、スケジューリング部５２からの指示により上りリンク共用データチャネルＵＬ−ＳＣＨにマッピングされる。ＤＦＴ−Ｓ−ＯＦＤＭ変調部５１は、データ制御部５０がマッピングしたデータを、データ変調、ＤＦＴ変換、サブキャリアマッピング、ＩＦＦＴ変換、ＣＰ（Ｃｙｃｌｉｃ  Ｐｒｅｆｉｘ）挿入、フィルタリングなどＤＦＴ−Ｓ−ＯＦＤＭ信号処理を行い、ＤＦＴ−Ｓｐｒｅａｄ−ＯＦＤＭ信号を生成する。上りリンクの通信方式は、ＤＦＴ−ｓｐｒｅｄ  ＯＦＤＭのようなシングルキャリア方式を想定しているが、ＯＦＤＭ方式のようなマルチキャリア方式でもかまわない。同期補正部５６は、制御データ抽出部５５から渡された同期情報から送信タイミングを決定し、ＤＦＴ−Ｓ−ＯＦＤＭ変調部５１から受けたＤＦＴ−Ｓｐｒｅａｄ−ＯＦＤＭ信号を、送信タイミングに合うように無線部５９に渡す。無線部５９は、無線制御部から指示された無線周波数に設定し、同期補正部５６から受けたＤＦＴ−Ｓｐｒｅａｄ−ＯＦＤＭ信号を無線周波数にアップコンバートし、アンテナを介して基地局装置に送信する。このように、データ制御部５０とＤＦＴ−Ｓ−ＯＦＤＭ変調部５１とで、ユーザーデータと制御データとを送信する送信部として機能する。
【００４５】
また、無線部５９は、基地局装置からの下りリンクの信号を、アンテナを介して受信し、ベースバンド信号にダウンコンバートして、このベースバンド信号をＯＦＤＭ復調部５３とチャネル推定部５４とに渡す。チャネル推定部５４は、無線部５９から受けた信号中の下りリンクパイロットチャネルから無線伝搬路特性を推定し、ＯＦＤＭ復調部５３とスケジューリング部５２とに推定結果を渡す。また、チャネル推定部５４は、基地局装置に無線伝搬路特性の推定結果を通知する為にＣＱＩ（Channel Quality Indicator）情報に変換し、データ制御部５０にＣＱＩ情報を渡す。ＯＦＤＭ復調部５３は、チャネル推定部５４の無線伝搬路推定結果を用いて無線部５９から受けたベースバンド信号を制御データ抽出部５５から指示された誤り訂正符号化方式および変調方式で復調し、受信データを得る。制御データ抽出部５５は、この受信データをユーザーデータと制御データに分離する。
【００４６】
制御データ抽出部５５は、分離した制御データの中から、自装置に対する上りリンク制御用の情報を抽出し、この情報をスケジューリング部５２に渡し、さらに、自装置に対する上りリンクの同期情報を抽出し、この情報は同期補正部５６に渡す。また、制御データ抽出部５５は、分離した制御データの中から自装置に対する下りリンク制御用の情報を抽出し、この情報が上りリンクの同期が取れている移動局装置に対する下りリンク制御用の情報のときは、該情報のリソース割当てで指示されたリソースのユーザーデータおよび制御データを、該情報の適応変調のパラメータで指示された変調方式でベースバンド信号から復調するように、ＯＦＤＭ復調部５３に指示する。一方、抽出した自装置に対する下りリンク制御用の情報が上りリンク同期要求用の制御情報のときは、該情報に従った同期ずれ計測用信号の送信を行うために、該情報を上位層処理部６０に渡す。また、これ以外の制御データとユーザーデータについても、上位層処理部６０に渡す。このように、ＯＦＤＭ復調部５３と制御データ抽出部５５とで、制御データとユーザーデータとを受信する受信部として機能する。
【００４７】
制御データ抽出部５５は、スケジューリング部５２が上りリンク再同期要因発生を検出しているときは、ＯＦＤＭ復調部５３に下りリンク制御用の下りリンク共用制御チャネルを、復調した下りリンク制御用の情報は、上りリンク同期要求を含んだ下りリンク制御用の情報であると判定して、Ｃ−ＲＮＴＩの検出を行なう。なお、この上りリンク同期要求を表す情報は、予め定められた固有の情報列配置方式、誤り訂正符号化方式、または変調方式を用いて信号抽出される。また、制御データ抽出部５５は、スケジューリング部５２が上りリンク再同期要因発生を検出していないときは、抽出した下りリンク制御用の情報は、上りリンクの同期が取れている移動局装置に対する下りリンク制御用の情報であると判定して、Ｃ−ＲＮＴＩの検出を行なう。
【００４８】
シグネチャ選択部５８は、上位層処理部６０からの指示により、ランダムアクセスで使用するシグネチャＩＤ番号を選択し、選択したシグネチャＩＤ番号をプリアンブル生成部５７に渡す。プリアンブル生成部（測定用信号生成部）５７は、シグネチャ選択部５８が選択したシグネチャＩＤ番号でプリアンブル（同期ずれ測定用信号）を生成し、ＤＦＴ−Ｓ−ＯＦＤＭ変調部５１に渡す。スケジューリング部５２は、ＭＡＣ制御を行い、基地局装置から指示されたリソースを使ってデータを送受信することを制御する。また、スケジューリング部（再同期要因検出部）５２は、タイマーを使って各移動局装置の上りリンク同期状況を管理し、一定時間、上りリンクによる送受信の無かった場合、または、上りリンク同期情報の更新がない状態が継続した場合に、上りリンク再同期要因発生として検出する再同期要因検出部として機能する。上位層処理部６０は、後述の図７から図１３で説明する手順を行うように移動局装置を制御する。
【００４９】
本実施形態では、上りリンク再同期が必要な状態にある移動局装置への上りリンク同期要求の際、基地局装置は、下りリンク共用制御チャネルＰＤＣＣＨで上りリンク同期要求を送信する。移動局装置は、上りリンク同期要求に専用シグネチャが含まれている場合は、該専用シグネチャを用いた衝突なしランダムアクセスＲＡＣＨを送信する。以下に具体的に説明する。図７は、基地局装置が専用シグネチャを含んだ上りリンク同期要求を送信した場合の手順であり、図８は、基地局装置がランダムシグネチャを指定した上りリンク同期要求を送信した場合の手順であり、図９は、移動局装置が上りリンク同期要求を含んだ下りリンク共用制御チャネルＰＤＣＣＨを受信できなかった場合の手順である。
【００５０】
図７は、基地局装置が専用シグネチャを含んだ上りリンク同期要求を送信した場合の手順を説明するシーケンス図である。基地局装置は、移動局装置の上りリンク同期を管理している。基地局装置のＵＬスケジューリング部２１は、タイマーを設定し、ある一定期間、上りリンクの送信がない状態が継続した場合や、上りリンク同期情報の更新がない状態が継続した場合に、上りリンク再同期要因発生と判定する。基地局装置は、上りリンク再同期が必要な移動局装置、すなわち上りリンク再同期要因発生と判定した移動局装置に対するデータ（送信データおよび受信データ）の到着を検知する、または、基地局装置が、上りリンク再同期要因発生と判定した移動局装置に対して上りリンク同期を継続させることを決定した際に、上りリンク同期要求を送信する。ＵＬスケジューリング部２１が、上りリンク同期要求を含んだ下りリンク制御用の情報を生成し、該情報を、データ制御部１０が下りリンク共用制御チャネルＰＤＣＣＨにマッピングして、送信する（信号７−１）。この上りリンク同期要求は、図４にて示したフォーマットを有する。この上りリンク同期要求には、ＵＬスケジューリング部２１がシグネチャ管理部１７から取得した専用シグネチャを指定する情報であるシグネチャＩＤ番号が含まれている。また、シグネチャ管理部１７に、該シグネチャＩＤ番号と送信先の移動局装置のＣ−ＲＮＴＩとを対応付けて格納する。
【００５１】
移動局装置の制御データ抽出部５５は、スケジューリング部５２が、上りリンク再同期要因発生を検出しているときは、下りリンク共用制御チャネルＰＤＣＣＨの各下りリンク制御用の情報について該情報が上りリンク同期要求を含む３０ビットの領域であるとして巡回冗長検査ＣＲＣを算出する。制御データ抽出部５５は、この巡回冗長検査ＣＲＣの算出結果が、自装置のＣ−ＲＮＴＩと一致する下りリンク制御用の情報を探し出し、自装置に対する下りリンク制御用の情報を正確に受信できたことを検知する。上位層処理部６０は、この下りリンク制御用の情報に含まれている上りリンク同期要求を受けると、該上りリンク同期要求にて指定されたシグネチャＩＤ番号とフレーム番号とを、シグネチャ選択部５８に指定する。シグネチャ選択部５８は、指定されたシグネチャＩＤ番号の専用シグネチャを選択し、該専用シグネチャと、指定されたフレーム番号とを、プリアンブル生成部５７に指定する。プリアンブル生成部５７は、指定された専用シグネチャのプリアンブルを生成し、ＤＦＴ−Ｓ−ＯＦＤＭ変調部５１は、このプリアンブルを、指定されたフレーム番号の無線フレーム内のランダムアクセスチャネルＲＡＣＨを用いて送信する（信号７−２：メッセージ１）。
【００５２】
基地局装置のプリアンブル検出部１６は、ランダムアクセスチャネルでプリアンブルを検出すると、上位層処理部３０は該プリアンブルに対するプリアンブル応答を生成し、送信する（信号７−３：メッセージ２）。このとき基地局装置の上位層処理部３０は、プリアンブルから検出した専用シグネチャと、シグネチャ管理部１７の登録内容とを比較することにより、検出したプリアンブルの送信元の移動局装置を特定することが可能である。上位層処理部３０は、特定した移動局装置の識別情報であるＣ−ＲＮＴＩを、シグネチャ管理部１７から取得する。データ制御部１０は、プリアンブル応答を、下りリンク共用制御チャネルＰＤＣＣＨと下りリンク共用データチャネルＤＬ−ＳＣＨとに分けてマッピングする。下りリンク共用制御チャネルＰＤＣＣＨにマッピングする情報には、プリアンブル応答であることを識別するＲＡ−ＲＮＴＩ（Ｒａｎｄｏｍ  Ａｃｃｅｓｓ−Ｒａｄｉｏ  Ｎｅｔｗｏｒｋ  Ｔｅｍｐｏｌａｒｙ  Ｉｄｅｎｔｉｔｙ）かまたは、移動局装置を直接指定するセル内移動局識別情報Ｃ−ＲＮＴＩが含まれており、下りリンク共用データチャネルＤＬ−ＳＣＨには、同期ずれの補正量を指示する同期情報が含まれている。
【００５３】
ＲＡ−ＲＮＴＩが使用される場合には、下りリンク共用データチャネルＤＬ−ＳＣＨに、専用シグネチャまたはＣ−ＲＮＴＩが含まれる。移動局装置では、制御データ抽出部５５が専用シグネチャまたはＣ−ＲＮＴＩを検出することで、自装置に対するプリアンブル応答を検出する。制御データ抽出部５５は、このプリアンブル応答から同期情報を抽出し、該同期情報の指示に従った同期ずれの補正量を同期補正部５６に指示する。続いて、基地局装置から通常のデータ送信が再開される（信号７−４、信号７−５）。
【００５４】
図８は、基地局装置が専用シグネチャを送信しない場合の手順を説明するシーケンス図である。基地局装置は、移動局装置の上りリンク同期を管理している。基地局装置のＵＬスケジューリング部２１は、タイマーを設定し、ある一定期間、上りリンクの送受信がない状態が継続した場合や、上りリンク同期情報の更新がない状態が継続した場合に、上りリンク再同期要因発生と特定する。基地局装置は、上りリンク同期再同期が必要な移動局装置、すなわち上りリンク再同期要因が発生した移動局装置に対するデータ（送信データおよび受信データ）の到着を検知する、または、基地局装置が、上りリンク再同期要因が発生した移動局装置に対して上りリンク同期を継続させることを決定した際に、上りリンク同期要求を送信する。ＵＬスケジューリング部２１が、上りリンク同期要求を含んだ下りリンク制御用の情報を生成し、該情報を、データ制御部１０が下りリンク共用制御チャネルＰＤＣＣＨにマッピングして、送信する（信号８−１）。ここで、上りリンク同期要求では、「種別」の領域にてランダムシグネチャを指定されており、これにより、専用シグネチャが割り当てられないことを示している。
【００５５】
移動局装置の制御データ抽出部５５は、スケジューリング部５２が、上りリンク再同期要因発生を検出しているときは、下りリンク共用制御チャネルＰＤＣＣＨの各下りリンク制御用の情報について該情報が上りリンク同期要求を含む３０ビットの領域であるとして巡回冗長検査ＣＲＣを算出する。制御データ抽出部５５は、この巡回冗長検査ＣＲＣの算出結果が、自装置のＣ−ＲＮＴＩと一致する下りリンク制御用の情報を探し出し、自装置に対する下りリンク制御用の情報を正確に受信できたことを検知する。上位層処理部６０は、この上りリンク同期要求を受けると、シグネチャ選択部５８にシグネチャの選択を指示する。シグネチャ選択部５８は、専用シグネチャ以外のシグネチャＩＤ番号のシグネチャをランダムに選択し、該シグネチャを含むプリアンブルの生成を、プリアンブル生成部５７に指示する。プリアンブル生成部５７は、指示されたシグネチャのプリアンブルを生成し、ＤＦＴ−Ｓ−ＯＦＤＭ変調部５１は、このプリアンブルをランダムアクセスチャネルＲＡＣＨを用いて送信する（信号８−２：メッセージ１）。
【００５６】
基地局装置のプリアンブル検出部１６は、ランダムアクセスチャネルでプリアンブルを検出すると、上位層処理部３０は該プリアンブルに対するプリアンブル応答を生成し、送信する（信号８−３：メッセージ２）。このとき基地局装置の上位層処理部３０は、シグネチャの検出では、移動局装置の特定ができない。データ制御部１０は、プリアンブル応答を、下りリンク共用制御チャネルＰＤＣＣＨと下りリンク共用データチャネルＤＬ−ＳＣＨとに分けてマッピングする。下りリンク共用制御チャネルＰＤＣＣＨには、プリアンブル応答であることを識別するＲＡ−ＲＮＴＩが含まれており、下りリンク共用データチャネルＤＬ−ＳＣＨには、同期情報とシグネチャのマッピング情報、シグネチャと新しいセル内移動局装置識別情報Ｃ−ＲＮＴＩ（Ｔ−Ｃ−ＲＮＴＩ）のマッピング情報、メッセージ２に対する移動局装置の応答であるメッセージ３を送信するためのメッセージ３のスケジューリング情報が含まれている。
【００５７】
この時点で、基地局装置は、移動局装置が何を理由にランダムアクセスをしてきたのか把握できない。移動局装置は、メッセージ３のスケジューリング情報に従って、メッセージ３を送信する（信号８−４：メッセージ３）。メッセージ３には、送信元移動局装置を識別するセル内移動局装置識別情報Ｃ−ＲＮＴＩを含める。基地局装置は、Ｃ−ＲＮＴＩを含んだメッセージ３を受信すると、このメッセージ３が先に送信したスケジューリング情報に従って送信されていることから、信号８−１で指示された移動局装置からの応答であることを検知する。基地局装置は、このメッセージ３に対応するメッセージ１のプリアンブルで複数の移動局装置が同時に同じシグネチャを使った送信をしていた場合の衝突解決情報としてコンテンションレゾリューションを送信する（信号８−５：メッセージ４）。メッセージ４を配置した下りリンク共用制御チャネルＰＤＣＣＨには、メッセージ２で基地局装置が指定した新しいセル内移動局装置識別情報Ｔ−Ｃ−ＲＮＴＩが含まれており、下りリンク共用データチャネルＤＬ−ＳＣＨには、メッセージ３で基地局装置が検知した移動局装置識別情報が含まれる。続いて、基地局装置から通常のデータ送信が再開される。（信号８−６、信号８−７）
【００５８】
図９は、移動局装置が、下りリンク共用制御チャネルＰＤＣＣＨの巡回冗長検査ＣＲＣチェックを失敗した場合の手順を説明するシーケンス図である。基地局装置は、移動局装置の上りリンク同期を管理している。基地局装置のＵＬスケジューリング部２１は、タイマーを設定し、ある一定期間、上りリンクの送受信がない状態が継続した場合や、上りリンク同期情報の更新がない状態が継続した場合に、上りリンク再同期要因発生と特定する。基地局装置は、上りリンク同期再同期が必要な移動局装置、すなわち上りリンク再同期要因が発生した移動局装置に対するデータ（送信データおよび受信データ）の到着を検知する、または、基地局装置が、上りリンク再同期要因が発生した移動局装置に対して上りリンク同期を継続させることを決定した際に、上りリンク同期要求を送信する。上りリンク同期要求は、下りリンク共用制御チャネルＰＤＣＣＨで送信される（信号９−１）。
【００５９】
移動局装置の制御データ抽出部５５は、下りリンク共用制御チャネルＰＤＣＣＨの各下りリンク制御用の情報について巡回冗長検査ＣＲＣを算出して、自装置のＣ−ＲＮＴＩと一致するものを探し出すが、ここでは該当する移動局装置の受信状況が悪いなどの理由で、正確に受信できず、一致しなかったとする。移動局装置は、上りリンク同期要求を検知できないため、次の受信サイクルまで受信を停止し、再度下りリンク共用制御チャネルＰＤＣＣＨの受信動作を行う。基地局装置は、定められたウインドウタイム内に移動局装置からの応答（応答方法は、上記の図６〜図７の状況によって異なる）を得られない場合に、移動局装置が上りリンク同期要求を受信できなかったことを検知する。基地局装置は、移動局装置の非受信を検出すると、次の送信サイクルまで待機し、再度上りリンク再同期が必要な移動局装置に対する上りリンク同期要求手続を行う（信号９−２）。
【００６０】
図１０は、移動局装置が、下りリンク共用制御チャネルＰＤＣＣＨの巡回冗長検査ＣＲＣチェックを失敗した場合のもう一つの手順を説明するシーケンス図である。基地局装置は、移動局装置の上りリンク同期を管理している。例えば、タイマーを設定し、ある一定期間、上りリンクの送信がない状態が継続した場合や、上りリンク同期情報の更新がない状態が継続した場合に、上りリンク再同期要因発生と特定する。基地局装置は、上りリンク再同期が必要な移動局装置に対するデータの到着を検知する、または、基地局装置が上りリンク再同期が必要な移動局装置に対して上りリンク同期を継続させることを決定した際に、上りリンク同期要求を送信する。上りリンク同期要求は、下りリンク共用制御チャネルＰＤＣＣＨで送信される（信号１０−１）。
【００６１】
移動局装置の制御データ抽出部５５は、下りリンク共用制御チャネルＰＤＣＣＨの各下りリンク制御用の情報について巡回冗長検査ＣＲＣを算出して、自装置のＣ−ＲＮＴＩと一致するものを探し出すが、ここでは該当する移動局装置の受信状況が悪いなどの理由で、正確に受信できず、一致しなかったとする。移動局装置は、上りリンク同期要求を検知できないため、次の上りリンクの送信を行ってしまう（信号１０−２）。ここで上りリンクの送信とは、下りリンク共用制御チャネルＰＤＣＣＨで指定される動的な上りリンク送信ではなく、Ｌａｙｅｒ３レベルのＲＲＣシグナリングなどで予め送信方法、送信リソースなどが設定されている上りリンク共用データチャネルで送信されるデータ送信や上りリンク共用制御チャネルで送信されるＣＱＩフィードバックチャネルなどの送信である。この上りリンクの送信を基地局装置が検出した場合に、移動局装置が上りリンク同期要求を受信できなかったことを検知する。基地局装置は、移動局装置の非受信を検出すると、再度上りリンク再同期が必要な移動局装置に対する上りリンク同期要求手続を行う（信号９−３）。ただし、この上りリンクの送信の検出は、上りリンク同期が取れていない移動局からの送信であるため、正確に検知できるかどうかは移動局の送信タイミングや無線状況に依存する。よって、このシーケンスは、図９で説明したシーケンスの補助的な役割として機能する。
【００６２】
図１１は、基地局装置の上りリンク同期要求送信処理の処理手順を示すフローチャートである。基地局装置は、データ送信時に、送信先の移動局装置の上りリンク同期を確認する。このとき、該移動局装置についてＵＬスケジューリング部２１が上りリンクの再同期要因を検出していないときは（Ｓａ１−Ｎｏ）、通常のデータ送信を行なう。一方、該移動局装置についてＵＬスケジューリング部２１が上りリンクの再同期要因を検出済のとき、すなわち上りリンク同期はずれの場合は（Ｓａ１−Ｙｅｓ）、上りリンク同期要求を送信することを決定する。次に、ＵＬスケジューリング部２１は、専用シグネチャの割当てが可能かどうかを、シグネチャ管理部１７を参照して確認する。専用シグネチャを割り当てることが可能な場合（Ｓａ２−Ｙｅｓ）、専用シグネチャを選択する（Ｓａ３）。次に、ＵＬスケジューリング部２１は、ステップＳａ３にて「種別」の領域に専用シグネチャを登録し、「シグネチャ」の領域に選択した専用シグネチャのシグネチャＩＤ番号を登録した上りリンク同期要求を含む下りリンク制御用の情報を生成し、この情報を、データ制御部１０が下りリンク共用制御チャネルＰＤＣＣＨにマッピングして送信する（Ｓａ４）。
【００６３】
一方、ステップＳａ２にて、専用シグネチャを割り当てることが不可能な場合（Ｓａ２−Ｎｏ）、ＵＬスケジューリング部２１は、「種別」の領域にランダムシグネチャを登録した上りリンク同期要求を含む下りリンク制御用の情報を生成し、この情報を、データ制御部１０が下りリンク共用制御チャネルＰＤＣＣＨにマッピングして送信する（Ｓａ６）。ステップＳａ４もしくはステップＳａ６にて上りリンク同期要求を含む下りリンク制御用の情報を送信すると、上位層処理部３０は、予め定められたウインドウタイム以内、すなわち上りリンク同期要求の「フレーム番号」にて指定した無線フレームにて、プリアンブル検出部１６が、上りリンク同期要求に対する応答であるプリアンブルを受け取ったかどうかを判断し、受け取っていない場合は（Ｓａ５−Ｎｏ）、ステップＳａ２に戻って、もう一度、上りリンク同期要求の手順を行う。一方、ステップＳａ５にて、応答のプリアンブルを受け取ったと判定した場合は（Ｓａ５−Ｙｅｓ）、上りリンク同期要求送信処理の処理を終了する。
【００６４】
図１２は、基地局装置のランダムアクセス受信処理手順の処理手順を示すフローチャートである。基地局装置のプリアンブル検出部１６は、ランダムアクセスチャネルにて、プリアンブルを検知すると、シグネチャ管理部１７を参照して、そのプリアンブルのシグネチャが専用シグネチャか否かを判定する（Ｓｂ１）。このステップＳｂ１にて専用シグネチャと判定した場合は、プリアンブル検出部１６が、プリアンブルを検出した際に計測した同期ずれを上位層処理部３０に通知する。この同期ずれを受けた上位層処理部３０は、この同期ずれの同期情報を含むプリアンブル応答をデータ制御部１０に出力して送信し（Ｓｂ２）、ランダムアクセス受信処理を終了する。一方、ステップＳｂ１にて専用シグネチャでないと判定した場合は、上位層処理部３０は、同期情報と図８のメッセージ３のスケジューリング情報を含むプリアンブル応答をデータ制御部１０に出力して送信し（Ｓｂ３）、メッセージ３の受信処理に入る。メッセージ３を受信すると（Ｓｂ４）、これを受けた上位層処理部３０は、メッセージ３内に上りリンク同期要求の移動局装置のＣ−ＲＮＴＩが含まれるかどうかを確認する（Ｓｂ５）。それ以外の移動局装置のＣ−ＲＮＴＩや他のＩＤを検知した場合は、別要因のランダムアクセス処理を行う（Ｓｂ５−Ｎｏ）。上りリンク同期要求の移動局装置のＣ−ＲＮＴＩを検知した場合（Ｓｂ５−Ｙｅｓ）、上位層処理部３０は、図8のメッセージ４を生成して、データ制御部１０に出力して送信し（Ｓｂ６）、ランダムアクセス受信処理を終了する。
【００６５】
図１３は、移動局装置の上りリンク共用制御チャネルＰＤＣＣＨのモニター処理の処理手順を示すフローチャートである。移動局装置の制御データ抽出部５５は、定期的に下りリンク共用制御チャネルＰＤＣＣＨをモニターしている。モニターするときに、スケジューリング部５２が上りリンク再同期要因発生を検出していないときは（Ｓｃ１−Ｎｏ）、通常の下りリンク共用制御チャネルの受信処理を行う。一方、モニターするときに、スケジューリング部５２が上りリンク再同期要因発生を検出しているときは（Ｓｃ１−Ｙｅｓ）、制御データ抽出部５５は、下りリンク共用制御チャネルＰＤＣＣＨを上りリンク同期要求を含んだ下り制御用の情報として受信し、自装置のＣ−ＲＮＴＩを検索する。この検索にて、自装置のＣ−ＲＮＴＩが検出できなかったときは（Ｓｃ２−Ｎｏ）、上りリンク同期要求を含んだ下り制御用の情報を受信していないので、モニター処理を終了する。一方、自装置のＣ−ＲＮＴＩを検索にて、自装置のＣ−ＲＮＴＩを検出、すなわち上りリンク同期要求を検出すると（Ｓｃ２−Ｙｅｓ）、制御データ抽出部５５からこの上りリンク同期要求を受けた上位層処理部６０は、上りリンク同期要求の種別の領域からシグネチャの種別を示す情報を取得し、専用シグネチャを含んでいるかどうかを判定するとともに（Ｓｃ３）、上りリンクの送信を停止する。
【００６６】
ステップＳｃ３にて、専用シグネチャが含まれていると判定した場合は（Ｓｃ３−Ｙｅｓ）、上位層処理部６０は、シグネチャ選択部５８を介してプリアンブル生成部５７に専用シグネチャのプリアンブル送信を指示する。プリアンブル生成部５７は指示された専用シグネチャのプリアンブルを生成し、ＤＦＴ−Ｓ−ＯＦＤＭ変調部５１に出力して送信する（Ｓｃ４）。移動局装置は、専用シグネチャでプリアンブルを送信すると、該プリアンブルに対する応答である図７のメッセージ２を受信する（Ｓｃ５）。制御データ抽出部５５は、このメッセージ２から同期情報を取得して、同期補正部５６に該同期情報を設定した後、移動局装置は、データ送受信を継続する。
【００６７】
一方、ステップＳｃ３にて、専用シグネチャが含まれていないと判定した場合は（Ｓｃ３−Ｎｏ）、上位層処理部６０は、シグネチャ選択部５８にランダムにシグネチャを選択するように指示する。シグネチャ選択部５８は、この指示を受けるとランダムにシグネチャを選択し、選択したシグネチャのシグネチャＩＤ番号をプリアンブル生成部５７に出力する。プリアンブル生成部５７は、このシグネチャＩＤ番号のシグネチャのプリアンブル生成し、ＤＦＴ−Ｓ−ＯＦＤＭ変調部５１に出力して送信する（Ｓｃ６）。移動局装置は、ランダムに選択したシグネチャでプリアンブルを送信すると、該プリアンブルに対する応答である図８のメッセージ２を受信する（Ｓｃ７）。移動局装置は、このメッセージ２から、同期情報とシグネチャのマッピング情報、シグネチャと新しいＣ−ＲＮＴＩ（Ｔ−Ｃ−ＲＮＴＩ）のマッピング情報、メッセージ３のスケジューリング情報を取得する。移動局装置は、取得したスケジューリング情報に従いメッセージ３を自身のＣ−ＲＮＴＩを含んで送信する（Ｓｃ８）。移動局装置は、メッセージ４を受信後（Ｓｃ９）、データ送受信を継続する。
【００６８】
このように、本実施形態では、基地局装置と移動局装置とで、タイマーを用いて上りリンク再同期要因の検出を行ない、基地局装置と移動局装置との間で上りリンクの時間の同期がとれているときに通信のパラメータの伝送に用いられている下りリンク共用制御チャネルＰＤＣＣＨの下りリンク制御用の情報の領域に、上りリンク再同期要因が検出されているときは、上りリンク同期要求を配置することで、優れた無線リソースの利用効率を得ることができる。これは、上りリンク同期要求を送信するときは、必ず上りリンク再同期が必要なので、上りリンクの同期がとれているときの通信のパラメータを伝送する必要がないということを利用している。
【００６９】
なお、本実施形態において、プリアンブル検出部１６は、プリアンブル検出時に他の移動局装置とプリアンブルが衝突していると確認できた場合、同期タイミングのずれ量として、一番大きいずれ量を選択するとして説明したが、ずれ量を複数個算出し、上位層に報告するようにしてもよい。この場合、複数個の同期タイミングずれを通知された移動局装置は、図８のメッセージ３の送信タイミングは、一番大きいずれ量から送信タイミングを設定し、メッセージ４が返ってこない場合は、次にずれ量の大きい送信タイミングで送信する
【００７０】
本実施形態において、上りリンク同期要求は、図３のようにして下りリンク制御用の情報の領域に配置したが、上りリンク制御用の情報の領域に配置してもよい。
また、上りリンク同期要求を、下りリンク制御用の情報の領域と、上りリンク制御用の情報の領域とのどちらでも配置できるようにしてもよい。
【００７１】
また、図５における上位層処理部３０、データ制御部１０、ＯＦＤＭ変調部１１、スケジューリング部１２、チャネル推定部１３、ＤＦＴ−Ｓ−ＯＦＤＭ復調部１４、制御データ抽出部１５、プリアンブル検出部１６、シグネチャ管理部１７、もしくは、図６における上位層処理部６０、データ制御部５０、ＤＦＴ−Ｓ−ＯＦＤＭ変調部５１、スケジューリング部５２、ＯＦＤＭ復調部５３、チャネル推定部５４、制御データ抽出部５５、同期補正部５６、プリアンブル生成部５７、シグネチャ選択部５８の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００７２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７３】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００７４】
本発明は、携帯電話端末を移動局装置とする携帯電話システムに用いて好適であるが、これに限定されない。
【図面の簡単な説明】
【００７５】
【図１】この発明の一実施形態による上りリンクの同期が取れている移動局装置に対する下りリンク制御用の情報のフォーマットを示す図である。
【図２】同実施形態における上りリンクの同期が取れている移動局装置に対する上りリンク制御用の情報のフォーマットを示す図である。
【図３】同実施形態における上りリンク同期要求を含んだ下りリンク制御用の情報のフォーマットを示す図である。
【図４】同実施形態における上りリンク同期要求を含んだ下りリンク制御用の情報のフォーマットの詳細な例を示す図である。
【図５】同実施形態における基地局装置の構成を示す概略ブロック図である。
【図６】同実施形態における移動局装置の構成を示す概略ブロック図である。
【図７】基地局装置が専用シグネチャを含んだ上りリンク同期要求を送信した場合の手順を説明するシーケンス図である。
【図８】同実施形態における基地局装置が専用シグネチャを送信しない場合の手順を説明するシーケンス図である。
【図９】同実施形態における移動局装置が、下りリンク共用制御チャネルの巡回冗長検査ＣＲＣチェックを失敗した場合の手順を説明するシーケンス図である。
【図１０】同実施形態における移動局装置が、下りリンク共用制御チャネルの巡回冗長検査ＣＲＣチェックを失敗した場合のもう一つの手順を説明するシーケンス図である。
【図１１】同実施形態における基地局装置の上りリンク同期要求送信処理の処理手順を示すフローチャートである。
【図１２】同実施形態における基地局装置のランダムアクセス受信処理手順の処理手順を示すフローチャートである。
【図１３】同実施形態における移動局装置の上りリンク共用制御チャネルＰＤＣＣＨのモニター処理の処理手順を示すフローチャートである。
【図１４】従来のＥＵＴＲＡにおける上りリンクおよび下りリンクのチャネル構成を示す図である。
【図１５】従来のＥＵＴＲＡにおけるランダムアクセスチャネルＲＡＣＨと、上りリンクスケジューリングチャネルＵＳＣＨとの無線リソース上への配置例を示した図である。
【図１６】従来のＥＵＴＲＡにおけるランダムアクセスチャネルＲＡＣＨを用いた上りリンク同期のシーケンス例を示すシーケンス図である。
【図１７】従来のＥＵＴＲＡにおける下りリンクのデータ送信再開のランダムアクセスにおいて、衝突を発生させないようにしたシーケンスを示す図である。
【符号の説明】
【００７６】
１０…データ制御部
１１…ＯＦＤＭ変調部
１２…スケジューリング部
１３…チャネル推定部
１４…ＤＦＴ−Ｓ−ＯＦＤＭ変調部
１５…制御データ抽出部
１６…プリアンブル検出部
１７…シグネチャ管理部
１９…無線部
２０…ＤＬスケジューリング部
２１…ＵＬスケジューリング部
３０…上位層処理部
５０…データ制御部
５１…ＤＦＴ−Ｓ−ＯＦＤＭ変調部
５２…スケジューリング部
５３…ＯＦＤＭ復調部
５４…チャネル推定部
５５…制御データ抽出部
５６…同期補正部
５７…プリアンブル生成部
５８…シグネチャ選択部
５９…無線部
６０…上位層処理部
【図１】
2008311857.tif 000003
【図２】
2008311857.tif 000004
【図３】
2008311857.tif 000005
【図４】
2008311857.tif 000006
【図５】
2008311857.tif 000007
【図６】
2008311857.tif 000008
【図７】
2008311857.tif 000009
【図８】
2008311857.tif 000010
【図９】
2008311857.tif 000011
【図１０】
2008311857.tif 000012
【図１１】
2008311857.tif 000013
【図１２】
2008311857.tif 000014
【図１３】
2008311857.tif 000015
【図１４】
2008311857.tif 000016
【図１５】
2008311857.tif 000017
【図１６】
2008311857.tif 000018
【図１７】
2008311857.tif 000019